(57)【要約】通信システムは、ユーザにサービスをオファーするＩＰネットワークと、ユーザにコール関連ファンクションを提供するＩＰＴプロバイダーネットワークとを備えている。ＩＰＴプロバイダーネットワークにおける各サービスエンティティにより制御プロトコルメッセージが受信されて分析される。分析結果に基づいて、コール関連ファンクションが各サービスエンティティにより実行される。更に、受信した制御プロトコルメッセージがＩＰネットワークにより分析され、分析結果に基づいて、ＩＰネットワークによりサービスが実行される。
2004523174.tif 000002
【特許請求の範囲】
【請求項１】
ユーザにサービスをオファーするＩＰネットワークと、
ユーザにコール関連ファンクションを提供するＩＰＴプロバイダーネットワークであって、制御プロトコルメッセージを受信し、その制御プロトコルメッセージを分析し、そしてその分析結果に基づいて、コール関連ファンクションを実行するように構成されたサービスエンティティを含むＩＰＴプロバイダーネットワークと、
を備え、上記ＩＰネットワークは、制御プロトコルメッセージを受信し、制御プロトコルメッセージを分析し、そしてその分析結果に基づいて、サービスを実行するように構成された通信システム。
【請求項２】
上記ＩＰＴプロバイダーネットワークは、加入者契約情報を含む加入者データベースを備えている請求項１に記載のシステム。
【請求項３】
各サービスエンティティは、ユーザ装置を登録するための制御プロトコルメッセージをユーザ装置から受信すると、その制御プロトコルメッセージにおけるユーザアドレスを分析し、そしてそのユーザアドレスに基づいて、ＩＰＴプロバイダーネットワークにユーザ装置を登録する請求項１に記載のシステム。
【請求項４】
ＩＰネットワークは、ユーザ装置を登録するための別の制御プロトコルメッセージをユーザ装置から受信すると、その制御プロトコルメッセージにおけるＩＰネットワークユーザ識別アドレスを分析し、そしてそのＩＰネットワークユーザ識別アドレスに基づいて、ＩＰネットワークにユーザ装置を登録する請求項３に記載のシステム。
【請求項５】
各サービスエンティティは、ユーザ装置を登録するための制御プロトコルメッセージをユーザ装置から受信すると、その制御プロトコルメッセージにおけるユーザアドレスを分析し、そのユーザアドレスに基づいて、ＩＰＴプロバイダーネットワークにユーザ装置を登録し、そのユーザアドレスに関連したＩＰネットワークユーザ識別アドレスを加入者データベースからフェッチし、そのＩＰネットワークユーザ識別アドレスをもつ制御プロトコルメッセージを発生し、そしてそれをＩＰネットワークへ送信して、ＩＰネットワークにユーザ装置を登録する請求項２に記載のシステム。
【請求項６】
各サービスエンティティは、コールを開始するための制御プロトコルメッセージをユーザ装置から受信すると、その制御プロトコルメッセージを分析し、そして被呼者のＩＰネットワークユーザ識別アドレス及び発信コール指示が制御プロトコルメッセージに存在する場合に、その制御プロトコルメッセージをＩＰネットワークへ転送する請求項１に記載のシステム。
【請求項７】
各サービスエンティティは、コールを開始するための制御プロトコルメッセージをユーザ装置から受信すると、その制御プロトコルメッセージを分析し、そして被呼者のアドレスが制御プロトコルメッセージに存在する場合に、被呼者のアドレスに関連したＩＰネットワークユーザ識別アドレスを加入者データベースからフェッチし、そしてそのＩＰネットワークユーザ識別アドレス及び発信コール指示をもつ制御プロトコルメッセージをＩＰネットワークに向けて送信する請求項２に記載のシステム。
【請求項８】
各サービスエンティティは、開始されたコールをユーザ装置に指示する制御プロトコルメッセージを受信すると、その制御プロトコルメッセージを分析し、そしてユーザ識別アドレス及び着信コール指示が制御プロトコルメッセージに存在する場合に、その制御プロトコルメッセージをＩＰネットワークへ転送する請求項１に記載のシステム。
【請求項９】
各サービスエンティティは、開始されたコールをユーザ装置に指示する制御プロトコルメッセージを受信すると、その制御プロトコルメッセージを分析し、そしてユーザアドレスが制御プロトコルメッセージに存在する場合に、そのユーザアドレスに関連したＩＰネットワークユーザ識別アドレスを加入者データベースからフェッチし、そしてそのＩＰネットワークユーザ識別アドレス及び着信コール識別をもつ制御プロトコルメッセージをＩＰネットワークに向って送信する請求項２に記載のシステム。
【請求項１０】
上記ＩＰネットワークは、各サービスエンティティから送信された制御プロトコルメッセージを受信すると、着信サービスを実行する請求項８に記載のシステム。
【請求項１１】
上記ＩＰネットワークは、各サービスエンティティから送信された制御プロトコルメッセージを受信すると、着信サービスを実行する請求項９に記載のシステム。
【請求項１２】
各サービスエンティティは、開始されたコールを指示する制御プロトコルメッセージであってＩＰネットワークへ送信される制御プロトコルメッセージにおいて、ＩＰＴプロバイダーネットワーク内の別のサービスエンティティのアドレスを指示し、そしてＩＰネットワークは、ユーザ装置に向ってコールをルーティングするときに他のサービスエンティティを使用する請求項１０に記載のシステム。
【請求項１３】
各サービスエンティティは、開始されたコールを指示する制御プロトコルメッセージであってＩＰネットワークへ送信される制御プロトコルメッセージにおいて、ＩＰＴプロバイダーネットワーク内の別のサービスエンティティのアドレスを指示し、そしてＩＰネットワークは、ユーザ装置に向ってコールをルーティングするときに他のサービスエンティティを使用する請求項１１に記載のシステム。
【請求項１４】
各サービスエンティティは、ＩＰネットワークに向って送信された開始されたコールを指示する制御プロトコルメッセージに含まれた記述子に、アドレスを含むパラメータを追加することにより、他のサービスエンティティのアドレスを指示する請求項１２に記載のシステム。
【請求項１５】
各サービスエンティティは、ＩＰネットワークに向って送信された開始されたコールを指示する制御プロトコルメッセージに含まれた記述子に、アドレスを含むパラメータを追加することにより、他のサービスエンティティのアドレスを指示する請求項１３に記載のシステム。
【請求項１６】
各サービスエンティティは、ＩＰネットワークに向って送信された開始されたコールを指示する制御プロトコルメッセージに、アドレスを含む制御プロトコルヘッダを追加することにより、他のサービスエンティティのアドレスを指示する請求項１２に記載のシステム。
【請求項１７】
各サービスエンティティは、ＩＰネットワークに向って送信された開始されたコールを指示する制御プロトコルメッセージに、アドレスを含む制御プロトコルヘッダを追加することにより、他のサービスエンティティのアドレスを指示する請求項１３に記載のシステム。
【請求項１８】
各サービスエンティティは、発信コール指示を含む新たな制御プロトコルヘッダを制御プロトコルメッセージに追加する請求項７に記載のシステム。
【請求項１９】
各サービスエンティティは、着信コール指示を含む新たな制御プロトコルヘッダを、ＩＰネットワークへ送信される制御プロトコルメッセージに追加する請求項９に記載のシステム。
【請求項２０】
上記制御プロトコルは、ＳＩＰより成る請求項１に記載のシステム。
【請求項２１】
ユーザにサービスをオファーするＩＰネットワークと、ユーザにコール関連ファンクションを提供するＩＰＴプロバイダーネットワークとを備えた通信システムにおける通信方法であって、
制御プロトコルメッセージをＩＰＴプロバイダーネットワークにおける各サービスエンティティにより受信し、
その受信された制御プロトコルメッセージを各サービスエンティティにより分析し、
その分析結果に基づいて、コール関連ファンクションを各サービスエンティティにより実行し、
受信された制御プロトコルメッセージをＩＰネットワークにより分析し、そして
その分析結果に基づいて、サービスをＩＰネットワークにより実行する、
という段階を備えた方法。
【請求項２２】
上記受信段階においてユーザ装置を登録するための制御プロトコルメッセージが受信されたときに、制御プロトコルメッセージにおけるユーザアドレスを分析し、そしてそのユーザアドレスに基づいてユーザ装置をＩＰＴプロバイダーネットワークに登録する請求項２１に記載の方法。
【請求項２３】
ユーザ装置から、そのユーザ装置を登録するための別の制御プロトコルメッセージをＩＰネットワークにより受信し、その際に、制御プロトコルメッセージにおけるＩＰネットワークユーザ識別アドレスをＩＰネットワークによって分析し、そしてそのＩＰネットワークユーザ識別アドレスに基づいてＩＰネットワークにユーザ装置を登録する請求項２２に記載の方法。
【請求項２４】
上記受信段階においてユーザ装置を登録するための制御プロトコルメッセージが受信されたときに、制御プロトコルメッセージにおけるユーザアドレスを分析し、そのユーザアドレスに基づいてユーザ装置をＩＰＴプロバイダーネットワークに登録し、そのユーザアドレスに関連したＩＰネットワークユーザ識別アドレスをＩＰＴプロバイダーネットワークにおける加入者データベースからフェッチし、そしてそのＩＰネットワークユーザ識別アドレスをもつ制御プロトコルメッセージを発生してＩＰネットワークに向って送信し、ユーザ装置をＩＰネットワークに登録する請求項２１に記載の方法。
【請求項２５】
上記受信段階においてコールを開始するための制御プロトコルメッセージが受信されたときに、その制御プロトコルメッセージを分析し、そして被呼者のＩＰネットワークユーザ識別アドレス及び発信コール指示がその制御プロトコル指示に存在する場合に、その制御プロトコルメッセージをＩＰネットワークへ転送する請求項２１に記載の方法。
【請求項２６】
上記受信段階においてコールを開始するための制御プロトコルメッセージが受信されたときに、その制御プロトコルメッセージを分析し、そして被呼者のアドレスがその制御プロトコルメッセージに存在する場合に、その被呼者のアドレスに関連したＩＰネットワークユーザ識別アドレスをＩＰＴプロバイダーネットワークの加入者データベースからフェッチし、そしてそのＩＰネットワークユーザ識別アドレス及び発信コール指示をもつ制御プロトコルメッセージをＩＰネットワークに向って送信する請求項２１に記載の方法。
【請求項２７】
開始されたコールをユーザ装置に指示する制御プロトコルメッセージが上記受信段階に受信されたときに、その制御プロトコルメッセージを分析し、そしてユーザ識別アドレス及び着信コール指示がその制御プロトコルメッセージに存在する場合に、その制御プロトコルメッセージをＩＰネットワークに転送する請求項２１に記載の方法。
【請求項２８】
開始されたコールをユーザ装置に指示する制御プロトコルメッセージが上記受信段階に受信されたときに、その制御プロトコルメッセージを分析し、そしてユーザアドレスがその制御プロトコルメッセージに存在する場合に、そのユーザアドレスに関連したＩＰネットワークユーザ識別アドレスをＩＰＴプロバイダーネットワークにおける加入者データベースからフェッチし、そしてそのＩＰネットワークユーザ識別アドレス及び着信コール指示をもつ制御プロトコルメッセージをＩＰネットワークに向けて送信する請求項２１に記載の方法。
【請求項２９】
各サービスエンティティから送信された制御プロトコルメッセージをＩＰネットワークにより受信し、そして着信サービスをＩＰネットワークにより実行する請求項２７に記載の方法。
【請求項３０】
各サービスエンティティから送信された制御プロトコルメッセージをＩＰネットワークにより受信し、そして着信サービスをＩＰネットワークにより実行する請求項２８に記載の方法。
【請求項３１】
ＩＰＴプロバイダーネットワークにおける別のサービスエンティティのアドレスを、ＩＰネットワークに向って送信された開始されたコールを指示する制御プロトコルメッセージにおいて指示し、そしてユーザ装置に向ってコールをルーティングするときに他のサービスエンティティをＩＰネットワークにより使用する請求項２９に記載の方法。
【請求項３２】
ＩＰＴプロバイダーネットワークにおける別のサービスエンティティのアドレスを、ＩＰネットワークに向って送信された開始されたコールを指示する制御プロトコルメッセージにおいて指示し、そしてユーザ装置に向ってコールをルーティングするときに他のサービスエンティティをＩＰネットワークにより使用する請求項３０に記載の方法。
【請求項３３】
ＩＰネットワークに向って送信された開始されたコールを指示する制御プロトコルメッセージに含まれた記述子に、アドレスを含むパラメータを追加することにより、他のサービスエンティティのアドレスを指示する請求項３１に記載の方法。
【請求項３４】
ＩＰネットワークに向って送信された開始されたコールを指示する制御プロトコルメッセージに含まれた記述子に、アドレスを含むパラメータを追加することにより、他のサービスエンティティのアドレスを指示する請求項３２に記載の方法。
【請求項３５】
ＩＰネットワークに向って送信された開始されたコールを指示する制御プロトコルメッセージに、アドレスを含む制御プロトコルヘッダを追加することにより、他のサービスエンティティのアドレスを指示する請求項３１に記載の方法。
【請求項３６】
ＩＰネットワークに向って送信された開始されたコールを指示する制御プロトコルメッセージに、アドレスを含む制御プロトコルヘッダを追加することにより、他のサービスエンティティのアドレスを指示する請求項３２に記載の方法。
【請求項３７】
発信コール指示より成る新たな制御プロトコルヘッダを、制御プロトコルメッセージに追加する請求項２６に記載の方法。
【請求項３８】
着信コール指示より成る新たな制御プロトコルヘッダを、ＩＰネットワークに向けて送信された制御プロトコルメッセージに追加する請求項２８に記載の方法。
【請求項３９】
上記制御プロトコルは、ＳＩＰより成る請求項２１に記載の方法。
【請求項４０】
請求項１ないし２０のいずれかに記載の通信システムにおいて通信するユーザ装置であって、上記システムにアタッチするための制御プロトコル方法を使用するように構成されたユーザ装置。
【請求項４１】
上記ユーザ装置は、上記システムに登録するために制御プロトコルメッセージを使用するように構成された請求項４０に記載のユーザ装置。
【請求項４２】
上記ユーザ装置は、上記システムに登録するためにＩＰＴプロバイダーネットワークに向ってユーザアドレスをもつ制御プロトコルメッセージを送信する請求項４１に記載のユーザ装置。
【請求項４３】
上記ユーザ装置は、上記システムに登録するために、ＩＰＴプロバイダーネットワークに向ってユーザアドレスをもつ制御プロトコルメッセージを送信すると共に、ユーザアドレスに関連したＩＰネットワークユーザ識別アドレスをもつ別の制御プロトコルメッセージをＩＰネットワークへ送信する請求項４１に記載のユーザ装置。
【請求項４４】
上記ユーザ装置は、コールを開始するためにシステムに向って制御プロトコルメッセージを送信するように構成された請求項４０に記載のユーザ装置。
【請求項４５】
上記ユーザ装置は、被呼者のＩＰユーザ識別アドレス及び発信コール指示を含むコールを開始するための制御プロトコルメッセージをＩＰＴプロバイダーネットワークに向って送信する請求項４４に記載のユーザ装置。
【請求項４６】
上記ユーザ装置は、被呼者のアドレスを含むコールを開始するための制御プロトコルメッセージをＩＰＴプロバイダーネットワークに向って送信する請求項４４に記載のユーザ装置。
【請求項４７】
上記ユーザ装置は、ユーザ装置をシステムからのコールに招くために別の当事者からの開始された制御プロトコルメッセージを受信するように構成される請求項４０に記載のユーザ装置。
【請求項４８】
上記制御プロトコルは、ＳＩＰより成る請求項４０に記載のユーザ装置。
【請求項４９】
コール関連ファンクションをユーザに提供するＩＰＴプロバイダーネットワークにあって、ユーザへサービスをオファーするＩＰネットワークと通信するサービスエンティティにおいて、このサービスエンティティは、制御プロトコルメッセージを受信し、その制御プロトコルメッセージを分析し、そしてその分析結果に基づいて、コール関連ファンクションを実行するように構成されたサービスエンティティ。
【請求項５０】
上記サービスエンティティは、ユーザ装置から、そのユーザ装置を登録するための制御プロトコルメッセージを受信すると、その制御プロトコルメッセージにおけるユーザアドレスを分析し、そしてそのユーザアドレスに基づいてＩＰＴプロバイダーネットワークにユーザ装置を登録する請求項４９に記載のサービスエンティティ。
【請求項５１】
上記サービスエンティティは、ユーザ装置から、そのユーザ装置を登録するための制御プロトコルメッセージを受信すると、その制御プロトコルメッセージにおけるユーザアドレスを分析し、そのユーザアドレスに基づいてＩＰＴプロバイダーネットワークにユーザ装置を登録し、そのユーザアドレスに関連したＩＰネットワークユーザ識別アドレスを、ＩＰＴプロバイダーネットワークにおける加入者データベースからフェッチし、そのＩＰネットワークユーザ識別アドレスをもつ制御プロトコルメッセージを発生してそれをＩＰネットワークに向って送信し、ユーザ装置をＩＰネットワークに登録する請求項４９に記載のサービスエンティティ。
【請求項５２】
上記サービスエンティティは、ユーザ装置から、コールを開始するための制御プロトコルメッセージを受信すると、その制御プロトコルメッセージを分析し、そして被呼者のＩＰネットワークユーザ識別アドレス及び発信コール指示がその制御プロトコルメッセージに存在する場合に、その制御プロトコルメッセージをＩＰネットワークに転送する請求項４９に記載のサービスエンティティ。
【請求項５３】
上記サービスエンティティは、ユーザ装置から、コールを開始するための制御プロトコルメッセージを受信すると、その制御プロトコルメッセージを分析し、そして被呼者のアドレスがその制御プロトコルメッセージに存在する場合に、その被呼者のアドレスに関連したＩＰネットワークユーザ識別アドレスを、ＩＰＴプロバイダーネットワークにおける加入者データベースからフェッチし、そしてそのＩＰネットワークユーザ識別アドレス及び発信コール指示をもつ制御プロトコルメッセージをＩＰネットワークに向けて送信する請求項４９に記載のサービスエンティティ。
【請求項５４】
上記サービスエンティティは、開始されたコールをユーザ装置へ指示する制御プロトコルメッセージを受信すると、その制御プロトコルメッセージを分析し、そしてユーザ識別アドレス及び着信コール指示がその制御プロトコルメッセージに存在する場合に、その制御プロトコルメッセージをＩＰネットワークに転送する請求項４９に記載のサービスエンティティ。
【請求項５５】
上記サービスエンティティは、開始されたコールをユーザ装置へ指示する制御プロトコルメッセージを受信すると、その制御プロトコルメッセージを分析し、そしてユーザアドレスがその制御プロトコルメッセージに存在する場合に、そのユーザアドレスに関連したＩＰネットワークユーザ識別アドレスを加入者データベースからフェッチし、そしてそのＩＰネットワークユーザ識別アドレス及び着信コール指示をもつ制御プロトコルメッセージをＩＰネットワークに向けて送信する請求項４９に記載のサービスエンティティ。
【請求項５６】
上記サービスエンティティは、開始されたコールを指示する制御プロトコルメッセージであってＩＰネットワークに向けて送信される制御プロトコルメッセージにおいて、ＩＰＴプロバイダーネットワーク内の別のサービスエンティティのアドレスを指示する請求項５４に記載のサービスエンティティ。
【請求項５７】
上記サービスエンティティは、開始されたコールを指示する制御プロトコルメッセージであってＩＰネットワークに向けて送信される制御プロトコルメッセージにおいて、ＩＰＴプロバイダーネットワーク内の別のサービスエンティティのアドレスを指示する請求項５５に記載のサービスエンティティ。
【請求項５８】
上記サービスエンティティは、ＩＰネットワークに向って送信された開始されたコールを指示する制御プロトコルメッセージに含まれた記述子に、アドレスを含むパラメータを追加することにより、他のサービスエンティティのアドレスを指示する請求項５６に記載のサービスエンティティ。
【請求項５９】
上記サービスエンティティは、ＩＰネットワークに向って送信された開始されたコールを指示する制御プロトコルメッセージに含まれた記述子に、アドレスを含むパラメータを追加することにより、他のサービスエンティティのアドレスを指示する請求項５７に記載のサービスエンティティ。
【請求項６０】
上記サービスエンティティは、ＩＰネットワークに向って送信された開始されたコールを指示する制御プロトコルメッセージに、アドレスを含む制御プロトコルヘッダを追加することにより、他のサービスエンティティのアドレスを指示する請求項５６に記載のサービスエンティティ。
【請求項６１】
上記サービスエンティティは、ＩＰネットワークに向って送信された開始されたコールを指示する制御プロトコルメッセージに、アドレスを含む制御プロトコルヘッダを追加することにより、他のサービスエンティティのアドレスを指示する請求項５７に記載のサービスエンティティ。
【請求項６２】
上記サービスエンティティは、発信コール指示を含む新たな制御プロトコルヘッダを制御プロトコルメッセージに追加する請求項５３に記載のサービスエンティティ。
【請求項６３】
上記サービスエンティティは、着信コール指示を含む新たな制御プロトコルヘッダを、ＩＰネットワークに向って送信された制御プロトコルメッセージに追加する請求項５５に記載のサービスエンティティ。
【請求項６４】
上記制御プロトコルは、ＳＩＰより成る請求項４９に記載のサービスエンティティ。
【請求項６５】
コール関連ファンクションをユーザに提供するＩＰＴプロバイダーネットワークと通信し、そしてユーザへサービスをオファーするＩＰネットワークにおいて、このＩＰネットワークは、制御プロトコルメッセージを受信し、その制御プロトコルメッセージを分析し、そしてその分析結果に基づいて、サービスを実行するように構成されたＩＰネットワーク。
【請求項６６】
上記ＩＰネットワークは、制御プロトコルメッセージを、ＩＰＴプロバイダーネットワークのサービスエンティティから受信するように構成される請求項６５に記載のＩＰネットワーク。
【請求項６７】
上記ＩＰネットワークは、制御プロトコルメッセージをユーザ装置から受信するように構成される請求項６５に記載のＩＰネットワーク。
【請求項６８】
上記ＩＰネットワークは、ユーザ装置から、そのユーザ装置を登録するための制御プロトコルメッセージを受信すると、その制御プロトコルメッセージにおけるＩＰネットワークユーザ識別アドレスを分析し、そしてそのＩＰネットワークユーザ識別アドレスに基づいてＩＰネットワークにユーザ装置を登録する請求項６７に記載のＩＰネットワーク。
【請求項６９】
上記ＩＰネットワークは、サービスエンティティから、ユーザ装置に向う開始されたコールを指示する制御プロトコルメッセージを受信すると、着信サービスを実行する請求項６６に記載のＩＰネットワーク。
【請求項７０】
ＩＰＴプロバイダーネットワークにおける別のサービスエンティティのアドレスが制御プロトコルメッセージにおいて指示された場合に、上記ＩＰネットワークは、ユーザ装置に向けてコールをルーティングするときに上記他のサービスエンティティを使用する請求項６９に記載のＩＰネットワーク。
【請求項７１】
上記制御プロトコルは、ＳＩＰより成る請求項６５に記載のＩＰネットワーク。
【発明の詳細な説明】
【技術分野】
【０００１】
本発明は、ＩＰ（インターネットプロトコル）をベースとするサービスアーキテクチャー（ＩＰＳＡ）に係る。
【背景技術】
【０００２】
電話サービスプロバイダーは、今日、エンドユーザを補足する全ての電話サービスを提供する。多数の電話契約を有するエンドユーザは、たとえ多数のサービスが同じであっても、「応答のない場合にコール再送する」サービスのように、各契約に関連した補足サービスを別々に構成しなければならない。
【発明の開示】
【発明が解決しようとする課題】
【０００３】
そこで、本発明の目的は、各々の契約ごとにサービスを構成する必要性を回避することである。
【課題を解決するための手段】
【０００４】
本発明の第１の特徴によれば、この目的は、ユーザへサービスをオファーするＩＰネットワークと、コール関連ファンクションをユーザに提供するＩＰＴ（インターネットプロトコル電話）プロバイダーネットワークとを備えた通信システムにより達成される。ＩＰＴプロバイダーネットワークは、制御プロトコルメッセージを受信し、制御プロトコルメッセージを分析し、そしてその分析結果に基づいて、コール関連ファンクションを実行するように構成されたサービスエンティティを備えている。ＩＰネットワークは、制御プロトコルメッセージを受信し、制御プロトコルメッセージを分析し、そしてその分析結果に基づいて、サービスを実行するように構成される。
【０００５】
第２の特徴によれば、上記目的は、ユーザへサービスをオファーするＩＰネットワークと、コール関連ファンクションをユーザに提供するＩＰＴプロバイダーネットワークとを備えた通信システムにおける通信方法により達成される。この方法によれば、制御プロトコルメッセージは、ＩＰＴプロバイダーネットワークにおいて各サービスエンティティにより受信され、その受信された制御プロトコルメッセージは、各サービスエンティティによって分析され、そして分析結果に基づいて、コール関連ファンクションが各サービスエンティティにより実行される。更に、受信された制御プロトコルメッセージは、ＩＰネットワークにより分析され、そしてその分析結果に基づいて、サービスがＩＰネットワークにより実行される。
【０００６】
第３の特徴によれば、上記目的は、通信システムにおいて通信するユーザ装置であって、システムへアタッチするための制御プロトコル方法を使用するように構成されたユーザ装置によって達成される。
【０００７】
第４の特徴によれば、上記目的は、コール関連ファンクションをユーザに提供するＩＰＴプロバイダーネットワークにあって、ユーザへサービスをオファーするＩＰネットワークと通信するサービスエンティティにより達成される。このサービスエンティティは、制御プロトコルメッセージを受信し、その制御プロトコルメッセージを分析し、そしてその分析結果に基づいて、コール関連ファンクションを実行するように構成される。
【０００８】
第５の特徴によれば、上記目的は、コール関連ファンクションをユーザに提供するＩＰＴプロバイダーネットワークと通信し、そしてユーザへサービスをオファーするＩＰネットワークによって達成される。このＩＰネットワークは、制御プロトコルメッセージを受信し、その制御プロトコルメッセージを分析し、そしてその分析結果に基づいて、サービスを実行するように構成される。
【０００９】
本発明の更に別の特徴は、従属請求項に規定する。
本発明によれば、サービスプロバイダーネットワーク（ＩＰネットワーク）と電話プロバイダーネットワーク（ＩＰＴプロバイダーネットワーク）とがＩＰＴ（ＩＰ電話）環境において分離される。この分離は、エンドユーザが多数の契約ネットワークにわたって同じサービスをもてるようにする。換言すれば、このアーキテクチャーでは、エンドユーザは、１組のサービスだけをカスタマイズし、そしてそれら全部を自分の電話契約に適用すればよい。これは、エンドユーザが、各組のサービスを各電話プロバイダーと個々にカスタマイズするのではなく、自分のサービスを集中式に管理することができる。
【００１０】
本発明の好ましい実施形態によれば、ＩＰネットワークは、ＩＰＳＡネットワークと称され、そしてＩＰＴプロバイダーネットワークのファンクションは、いわゆるＳＩＰネットワークにおいて実施される。この通信システムでは、ＩＰＳＡネットワークが含まれるときに、ＳＩＰコールを柔軟にルーティングすることができ、ＩＰＳＡネットワークは、ＳＩＰプロキシーアドレスを前もって知る必要がない。換言すれば、ＳＩＰコール／ルーティング制御ネットワークとＩＰＳＡネットワークとの間で前もって合意をする必要がない。
【発明を実施するための最良の形態】
【００１１】
以下、添付図面を参照して、本発明の好ましい実施形態を詳細に説明する。
本発明の考え方は、ＩＰＴ（インターネットプロトコル電話）環境においてサービスプロバイダーネットワークをベアラプロバイダーネットワークから分離することである。以下に述べる本発明の好ましい実施形態では、この概念は、ＳＩＰ（セッションイニシエーションプロトコル）を、ＩＰＳＡ（ＩＰベースのサービスアーキテクチャー）ネットワークと称するＩＰネットワークと、ＳＩＰネットワークと称するＩＰＴプロバイダーネットワークと、エンドユーザターミナル（ユーザ装置）との間の制御プロトコルとして使用することにより実現される。
【００１２】
図１には、本発明の実施形態に基づき通信システムにおいてサービストリガー動作及び制御に含まれる機能的要素が示されている。ＳＩＰクライアントとは、ＳＩＰメソッドを使用して通信システムにアタッチされるエンドユーザのターミナルを表わす。エンドユーザのターミナルは、ユーザ装置（ＵＥ）と称され、例えば、ＩＰＴ  ＳＩＰクライアントアプリケーションを実行するＰＣ（パーソナルコンピュータ）又はラップトップである。
【００１３】
ＳＩＰプロキシーサーバーは、エンドユーザに対してベアラ接続とコールルーティング能力のようなコール関連ファンクションとを与えるＳＩＰネットワークの一部分である。ＳＩＰネットワークでは、ＳＤＢ（加入者データベース）が存在し、これは、認証データ及びＩＰＳＡ−ＩＤ（ＩＰＳＡ識別子）のような加入者契約情報を含む。
【００１４】
図１に示すＩＰＳＡネットワークは、電話のようなサービス及び他のＩＰ型のサービスをエンドユーザにオファーするＩＰベースのサービスアーキテクチャープラットホームである。ユーザは、１つのＩＰＳＡクラウド内にＩＰＳＡ−ＩＤと称する独特の認識を有する。このＩＤは、ユーザ名及びＩＰＳＡプロバイダーのドメイン名からｉｐｓａ−ｕｓｅｒ＠ｉｐｓａ−ｐｒｏｖｉｄｅｒ．ｃｏｍと形成される。
図１に示すＩＰクラウドは、ＳＩＰクライアント、ＳＩＰネットワーク及びＩＰＳＡネットワークを相互接続するためのＩＰバックボーンネットワークを表わす。
【００１５】
図２及び３は、通信システム、特に、図１に示すＩＰＳＡネットワークへのＳＩＰクライアントの登録を示す。
「存在」のようなあるサービスは、クライアントのターミナルがコールを受信する準備ができているかどうか、即ちクライアントがネットワークにアタッチされたかどうか知る必要がある。この形式のサービスがＩＰＳＡにおいて実施されるときには、ＩＰＳＡネットワークは、クライアントの状態を知る必要がある。
【００１６】
図２は、エンドユーザをＩＰＳＡネットワークに登録する第１の方法を示す。この登録方法では、ＳＤＢは、ＩＰＳＡ−ＩＤを、あるドメインにおいて論理名の形態、例えば、「ｊｏｈｎ．ｄｏｅ＠ｓｏｍｅ．ｉｐｓａ．ｃｏｍ」で含む。ＳＩＰクライアントがＳＩＰ  ＲＥＧＩＳＴＥＲメッセージをＳＩＰプロキシーサーバーへ送信するときには、ＳＩＰプロキシーサーバーは、ＳＩＰクライアントをＳＩＰネットワークに登録すると共に、ＳＩＰクライアントにより表わされたエンドユーザに対するＩＰＳＡ−ＩＤをＳＤＢからフェッチする。ＳＤＢにおけるＩＰＳＡ−ＩＤがエンドユーザに関連付けされる場合には、ＳＩＰプロキシーサーバーは、ＩＰＳＡ−ＩＤをもつ別のＲＥＧＩＳＴＥＲメッセージを発生し、そしてそれをＩＰＳＡネットワークに向けて送信する。この登録メッセージに基づいて、ＩＰＳＡネットワークは、ＳＩＰクライアントを登録することができる。
【００１７】
図３は、ＩＰＳＡネットワークにエンドユーザを登録する別の可能性を示す。この登録方法では、ＳＩＰクライアントは、別のＲＥＧＩＳＴＥＲメッセージにそのＩＰＳＡ−ＩＤを使用してＩＰＳＡネットワークに直接登録される。
図２に示したオプション１は、どのＩＰＳＡプロバイダーがエンドユーザのサービスを提供するかの制御をＩＰＴプロバイダーが保持できるようにし、一方、図３に示したオプション２は、ＩＰＳＡプロバイダーの選択についてユーザに全ての制御を与える。
【００１８】
次いで、発信コールに基づくＩＰＳＡ呼び出しについて説明する。図４は、発信コールに基づいてＩＰＳＡを呼び出す第１の方法を示す。ＳＩＰクライアントは、ＩＮＶＩＴＥメッセージをＳＩＰネットワークに向けて送信し、このメッセージは、ＳＩＰプロキシーサーバーにより受信される。ＳＩＰプロキシーサーバーは、ＳＤＢに見られるＩＰＳＡ−ＩＤが被呼者Ｂに関連付けされ、即ちＩＮＶＩＴＥメッセージにおける要求ＵＲＩ（ユニフォームリソース識別子）Ｂに関連付けされるときに、このエンドユーザが開始したコールをＩＰＳＡネットワークに向けてルーティングすることができる。ＩＰＳＡ−ＩＤがＳＤＢに見られるときには、ＳＩＰプロキシーサーバーは、要求ＵＲＩをＩＰＳＡ−ＩＤに変更し、新たなＳＩＰヘッダにおいてこれが発信コールであることを指示し、そしてＩＮＶＩＴＥメッセージをＩＰＳＡネットワークにルーティングする。
【００１９】
任意であるが、図５に示すように、ＳＩＰクライアントは、被呼者のＩＰＳＡ−ＩＤと共に要求ＵＲＩを指示することにより、ＳＩＰプロキシーサーバーを経てＩＰＳＡネットワークへＩＮＶＩＴＥメッセージを直接送信することもできる。ＳＩＰプロキシーサーバーは、次いで、要求ＵＲＩを分析し、ＩＮＶＩＴＥメッセージをＩＰＳＡネットワークへ転送する。
【００２０】
次に、着信コールに基づくＩＰＳＡ呼び出しについて説明する。図６は、着信コールに基づいてＩＰＳＡを呼び出す第１の方法を示す。ＳＩＰプロキシーサーバーは、ＳＩＰクライアント「ｃａｌｌｅｄ  ｂ＿ｐａｒｔｙ」をコールへと招く発信エンドポイントからのＩＮＶＩＴＥメッセージを受信すると、その「ｃａｌｌｅｄ  ｂ＿ｐａｒｔｙ」に対するＩＰＳＡ−ＩＤをＳＤＢからフェッチする。ＩＰＳＡ−ＩＤが「ｃａｌｌｅｄ  ｂ＿ｐａｒｔｙ」に関連付けされる場合には、ＳＩＰプロキシーサーバーは、フェッチしたＩＰＳＡ−ＩＤを使用して、ＩＮＶＩＴＥメッセージを、それが着信コールであることを指示する新たなＳＩＰヘッダと共に、ＩＰＳＡネットワークへルーティングする。ＳＩＰプロキシーサーバーは、更に、ルーティングされたＩＮＶＩＴＥメッセージにゲートウェイＳＩＰプロキシーアドレス又はホップアドレスを含み、これについては図８を参照して詳細に説明する。ＩＰＳＡネットワークは、このアドレスを更なるルーティングのために使用しなければならない。ＩＰＳＡは、次いで、いかなる着信サービスも実行し、更なるルーティングが必要な場合には、ＳＩＰプロキシーサーバーにより与えられたアドレスを使用して、エンドユーザ、即ち「ｂ＿ｐａｒｔｙ」に到達する。
【００２１】
任意であるが、図７に示すように、ＳＩＰプロキシーサーバーにより受信されたＩＮＶＩＴＥメッセージは、要求ＵＲＩ及び着信コール指示にＩＰＳＡ−ＩＤを予め含んでいる。要求ＵＲＩを分析した後に、ＳＩＰプロキシーサーバーは、更なるルーティングのためのホップアドレスをＩＮＶＩＴＥメッセージに追加し、そしてそれをＩＰＳＡネットワークに転送する。
【００２２】
次に、図８を参照して、ＩＰＳＡネットワークとＳＩＰネットワークとの間でサービス呼び出しを適当にルーティングするためのメカニズムについて説明する。
ＳＩＰネットワークが、ＳＩＰコールをＩＰＳＡネットワークへリルーティングして、コールに含まれた加入者又はＳＩＰクライアントに対してサービスを実行するときには、ＩＰＳＡネットワークは、サービス実行の一部分として、ＳＩＰネットワークを経て、ＳＩＰコールをリルーティングするか又は新たなＳＩＰシグナリング、例えば、コール設定、ＩＮＦＯメソッド等を開始する。例えば、ＩＮＶＩＴＥメッセージに対するループ検出について考えると、ＳＩＰシグナリングは、ＩＰＳＡネットワークへコールをルーティングしたＳＩＰネットワークの要素へ返送できず、そしてＩＰＳＡネットワークは、ＳＩＰネットワークのトポロジーを必ずしも知らない。
【００２３】
ＳＩＰネットワークにおけるＳＩＰプロキシーサーバーがＳＩＰコールをＩＰＳＡネットワークへルーティングするときに、ＳＩＰネットワークは、ＩＰＳＡネットワークがＳＩＰネットワークと交換する必要のあるＳＩＰシグナリングに対してゲートウェイとして使用されるべきＳＩＰネットワークにおけるＳＩＰプロキシーのアドレスを与える。
例えば、図８を参照すれば、ＳＩＰクライアントは、別のＳＩＰクライアント（ｂ＿ｐａｒｔｙ）を招くためにＳＩＰネットワークにＩＮＶＩＴＥメッセージを送信する。このＩＮＶＩＴＥメッセージは、メッセージを転送するＳＩＰプロキシーのネットワークを経てＳＩＰプロキシーサーバーにより受信される。ＳＩＰプロキシーサーバーは、ＩＮＶＩＴＥメッセージをＩＰＳＡネットワークに向けてルーティングし、そしてこのメッセージにおいてゲートウェイＳＩＰプロキシーアドレスを指示する。ここで、メッセージを受信するＩＰＳＡネットワーク要素は、「ｂ＿ｐａｒｔｙ」に到達するために、ＳＩＰネットワークのどのＳＩＰプロキシーサーバーにコールをルーティングしなければならないかを知る。従って、ＩＰＳＡネットワーク要素は、ＳＩＰプロキシーサーバーによりアドレスが指示されたゲートウェイＳＩＰプロキシーへＩＮＶＩＴＥメッセージをルーティングする。「ｂ＿ｐａｒｔｙ」は、ゲートウェイＳＩＰプロキシーからＳＩＰプロキシーのネットワークを経てＩＮＶＩＴＥメッセージを受け取る。
【００２４】
ＩＰＳＡネットワークにゲートウェイアドレスを設けることは、ＳＩＰプロキシーサーバーからＩＰＳＡネットワークへルーティングされたＳＩＰメッセージに含まれたＳＤＰ（セッション記述プロトコル）記述子にパラメータを追加しそしてゲートウェイＳＩＰプロキシーのアドレスを含ませることにより実施できる。或いは又、ＳＩＰプロキシーサーバーからＩＰＳＡネットワークへルーティングされるＳＩＰメッセージにＳＩＰヘッダを追加し、そしてゲートウェイＳＩＰプロキシーのアドレスを含ませることにより、ＩＰＳＡネットワークにアドレスを指示することもできる。
【００２５】
以上、本発明の好ましい実施形態を説明したが、これは、本発明を単に例示するものに過ぎず、本発明を何ら限定するものではない。特許請求の範囲に規定した本発明の真の精神及び範囲から逸脱せずに、種々の変更や修正が当業者に明らかであろう。
【図面の簡単な説明】
【００２６】
【図１】本発明の実施形態による通信システムにおいてサービストリガー動作及び制御に含まれる機能的要素を示す図である。
【図２】本発明の実施形態によるＩＰＳＡネットワークへの登録を示す図である。
【図３】本発明の別の実施形態によるＩＰＳＡネットワークへの登録を示す図である。
【図４】本発明の実施形態による発信コールをベースとするＩＰＳＡ呼び出しを示す図である。
【図５】本発明の別の実施形態による発信コールをベースとするＩＰＳＡ呼び出しを示す図である。
【図６】本発明の実施形態による着信コールをベースとするＩＰＳＡ呼び出しを示す図である。
【図７】本発明の別の実施形態による着信コールをベースとするＩＰＳＡ呼び出しを示す図である。
【図８】ＳＩＰネットワークからＩＰＳＡネットワークへそしてＩＰＳＡネットワークからＳＩＰネットワークへＳＩＰコールをルーティングする動作を詳細に示す図である。
【図１】
2004523174.tif 000003
【図２】
2004523174.tif 000004
【図３】
2004523174.tif 000005
【図４】
2004523174.tif 000006
【図５】
2004523174.tif 000007
【図６】
2004523174.tif 000008
【図７】
2004523174.tif 000009
【図８】
2004523174.tif 000010
【国際公開パンフレット】
2004523174.tif 000011
2004523174.tif 000012
2004523174.tif 000013
2004523174.tif 000014
2004523174.tif 000015
2004523174.tif 000016
2004523174.tif 000017
2004523174.tif 000018
2004523174.tif 000019
2004523174.tif 000020
2004523174.tif 000021
2004523174.tif 000022
2004523174.tif 000023
2004523174.tif 000024
2004523174.tif 000025
2004523174.tif 000026
2004523174.tif 000027
2004523174.tif 000028
2004523174.tif 000029
2004523174.tif 000030
2004523174.tif 000031
2004523174.tif 000032
2004523174.tif 000033
2004523174.tif 000034
2004523174.tif 000035
2004523174.tif 000036
2004523174.tif 000037
2004523174.tif 000038
2004523174.tif 000039
2004523174.tif 000040
2004523174.tif 000041
2004523174.tif 000042
2004523174.tif 000043
【国際調査報告】
2004523174.tif 000044
2004523174.tif 000045
2004523174.tif 000046